(57)【特許請求の範囲】
【請求項１】
各種処理を行う複数のパッケージ及び外部からのプロテクト信号が入力され、入力されたプロテクト信号を前記複数のパッケージに分配してプロテクト機能の制御を行うプロテクト機能制御の中心となるパッケージを有する装置におけるプロテクト機能制御方法において、
前記プロテクト機能制御の中心となるパッケージが抜去されると、抜去する前のプロテクト信号を前記複数のパッケージに保持させ、
前記プロテクト機能制御の中心となるパッケージが再度挿入されると、前記複数のパッケージに保持されたプロテクト信号に基づいたプロテクト信号を、前記プロテクト機能制御の中心となるパッケージから前記複数のパッケージに分配させることを特徴とするプロテクト機能制御方法。
【請求項２】
各種処理を行う複数のパッケージ及び外部からのプロテクト信号が入力され、入力されたプロテクト信号を前記複数のパッケージに分配してプロテクト機能の制御を行うプロテクト機能制御の中心となるパッケージを有する装置におけるプロテクト機能制御方法において、
前記プロテクト機能制御の中心となるパッケージが抜去されると、抜去する前のプロテクト信号を前記複数のパッケージに保持させ、
前記プロテクト機能制御の中心となるパッケージが再度挿入されると、前記複数のパッケージに保持されたプロテクト信号に基づいたプロテクト信号を、あらかじめ設定された一定時間の間、前記プロテクト機能制御の中心となるパッケージから前記複数のパッケージに分配させることを特徴とするプロテクト機能制御方法。
【発明の詳細な説明】
【０００１】
【発明の属する技術分野】
本発明は、伝送装置や多重化装置におけるプロテクト機能の制御を行うプロテクト機能制御方法に関する。
【０００２】
【従来の技術】
まず、伝送装置や多重化装置におけるプロテクト機能とは、装置を構成している各種処理を行うための複数のパッケージの挿入、抜去時等において切替系の系を固定させるための機能であり、従来、伝送装置や多重化装置におけるプロテクト機能の制御方法としては、外部から装置に入力されるプロテクト信号（プロテクトＯＮ／ＯＦＦの識別信号）を、プロテクト機能制御の中心となるパッケージで受信し、その後、装置内の各パッケージにそのプロテクト信号を分配して装置のプロテクト機能を制御するものであった。
【０００３】
図４は従来のプロテクト機能制御方法を説明するための説明図である。
図において、４０〜４２は伝送装置や多重化装置などの装置を構成しているＣＰＵボードやインターフェースボードなど装置内での各種処理を行うためのパッケージであり、ここではパッケージ４０が装置内のプロテクト機能制御処理のためのパッケージであり、プロテクト機能制御の中心となるパッケージとなっている。
また、プロテクト機能制御の中心となるパッケージ４０内には、外部からのパルス状のプロテクト信号６０が入力されるトグル回路５０及びトグル回路５０の出力信号をパッケージ４１及びパッケージ４２に分配するプロテクト信号分配回路５１が設けられている。
【０００４】
また、パッケージＡ４１内には、プロテクト機能制御の中心となるパッケージ４０からのプロテクト信号Ａ６１が入力されるバッファ回路５２及びバッファ回路５２の出力信号が入力され、その入力信号に基づいて、切替系の系の固定等のプロテクト中の動作を制御するプロテクト機能制御回路５３が設けられ、パッケージＢ４２内には、プロテクト機能制御の中心となるパッケージ４０からのプロテクト信号Ｂ６２が入力されるバッファ回路５２及びバッファ回路５２の出力信号が入力され、その入力信号に基づいて、切替系の系の固定等のプロテクト中の動作を制御するプロテクト機能制御回路５３が設けられている。
【０００５】
次に、従来例の動作について説明する。
まず、外部からのプロテクト信号６０が、トグル回路５０に入力され、トグル回路５０の出力信号がプロテクト信号分配回路５１へ入力される。そして、そのプロテクト信号分配回路５１の出力であるプロテクト信号Ａ６１、プロテクト信号Ｂ６２は、それぞれパッケージＡ４１、パッケージＢ４２へ送出されている。
【０００６】
そして、外部からのプロテクト信号６０により、トグル回路５０の出力がＯＮになると、プロテクト機能制御の中心となるパッケージ４０内のプロテクト信号分配回路５１の出力であるプロテクト信号Ａ６１、プロテクト信号Ｂ６２はＯＮ状態となる。
また、外部からのプロテクト信号６０により、トグル回路５０の出力がＯＦＦになると、プロテクト機能制御の中心となるパッケージ４０内のプロテクト信号分配回路５１の出力であるプロテクト信号Ａ６１、プロテクト信号Ｂ６２はＯＦＦ状態となる。
【０００７】
そして、それぞれパッケージＡ４１、パッケージＢ４２において、プロテクト信号Ａ６１、プロテクト信号Ｂ６２はパッケージＡ４１のバッファ回路５２、パッケージＢ４２のバッファ回路５２を経由してそれぞれのプロテクト機能制御回路５３に送出され、プロテクト機能制御回路５３により、それぞれのプロテクト信号のプロテクトＯＮ／ＯＦＦの状態により切替系の系の固定等のプロテクト中の動作を制御する。
【０００８】
【発明が解決しようとする課題】
しかしながら、従来のプロテクト機能制御方法では、プロテクト機能制御の中心となるパッケージ４０が抜去された場合、プロテクト状態を維持することができないという問題点があった。
これは、プロテクト機能制御の中心となるパッケージ４０が抜去された場合、あらかじめ、そのトグル回路５０の出力であるプロテクト状態がプロテクトＯＦＦ固定となるように決める、すなわち、プロテクト機能制御の中心となるパッケージ４０が抜去された場合には、パッケージＡ４１、パッケージＢ４２に入力されるプロテクト信号Ａ６１、プロテクト信号Ｂ６２をＯＦＦ状態に固定するように決めると、トグル回路５０の出力であるプロテクト状態がプロテクトＯＮにもかかわらずプロテクト機能制御の中心となるパッケージが抜去された場合、装置のプロテクト状態がプロテクトＯＦＦとなってしまう。
【０００９】
また、プロテクト機能制御の中心となるパッケージ４０が抜去された場合、あらかじめ、そのトグル回路５０の出力であるプロテクト状態がプロテクトＯＮ固定となるように決める、すなわち、プロテクト機能制御の中心となるパッケージ４０が抜去された場合には、パッケージＡ４１、パッケージＢ４２に入力されるプロテクト信号Ａ６１、プロテクト信号Ｂ６２をＯＮ状態に固定するように決めると、トグル回路５０の出力であるプロテクト状態がプロテクトＯＦＦにもかかわらずプロテクト機能制御の中心となるパッケージが抜去された場合、装置のプロテクト状態がプロテクトＯＮとなってしまう。
【００１０】
さらに、再度、プロテクト機能制御の中心となるパッケージ４０を挿入した場合、プロテクト状態を維持することができないという問題点があった。
これは、プロテクト機能制御の中心となるパッケージ４０が挿入された場合、あらかじめ、そのトグル回路５０の出力であるプロテクト状態がプロテクトＯＦＦ固定となるよう決める、すなわち、プロテクト機能制御の中心となるパッケージ４０が挿入された場合には、パッケージＡ４１、パッケージＢ４２に入力されるプロテクト信号Ａ６１、プロテクト信号Ｂ６２をＯＦＦ状態に固定するように決めると、装置のプロテクト状態がプロテクトＯＮにもかかわらずプロテクト機能制御の中心となるパッケージ４０が挿入された場合、装置のプロテクト状態がプロテクトＯＦＦとなってしまう。
【００１１】
また、プロテクト機能制御の中心となるパッケージ４０が挿入された場合、あらかじめ、そのトグル回路５０の出力であるプロテクト状態がプロテクトＯＮ固定となるよう決める、すなわち、プロテクト機能制御の中心となるパッケージ４０が挿入された場合には、パッケージＡ４１、パッケージＢ４２に入力されるプロテクト信号Ａ６１、プロテクト信号Ｂ６２をＯＮ状態に固定するように決めると、装置のプロテクト状態がプロテクトＯＦＦにもかかわらずプロテクト機能制御の中心となるパッケージ４０が挿入された場合、装置のプロテクト状態がプロテクトＯＮとなってしまう。
【００１２】
ここで、一例として、プロテクト機能制御の中心となるパッケージ４０が抜去された場合、あらかじめ、そのトグル回路５０の出力であるプロテクト状態がプロテクトＯＦＦ固定となるように決めた場合の、プロテクト機能制御の中心となるパッケージ４０が抜去された後、再び挿入されたときの、各種信号及び状態の変化を図５に示す。図５に示すように、従来のプロテクト機能制御方法では、装置のプロテクト状態がＯＮ状態で、プロテクト機能制御の中心となるパッケージ４０が、抜去された後、再び挿入されたときは、装置のプロテクト状態がＯＦＦ状態となってしまっている。
【００１３】
【課題を解決するための手段】
本発明に係るプロテクト機能制御方法は、各種処理を行う複数のパッケージ及び外部からのプロテクト信号が入力され、入力されたプロテクト信号を複数のパッケージに分配してプロテクト機能の制御を行うプロテクト機能制御の中心となるパッケージを有する装置におけるプロテクト機能制御方法において、プロテクト機能制御の中心となるパッケージが抜去されると、抜去する前のプロテクト信号を複数のパッケージに保持させ、プロテクト機能制御の中心となるパッケージが再度挿入されると、複数のパッケージに保持されたプロテクト信号に基づいたプロテクト信号を、プロテクト機能制御の中心となるパッケージから複数のパッケージに分配させるものである。
【００１４】
【発明の実施の形態】
図１は、本発明の一実施の形態に係るプロテクト機能制御方法を説明するための説明図である。
図において、１０〜１２は伝送装置や多重化装置などの装置を構成しているパッケージであり、ここではパッケージ１０がプロテクト機能制御の中心となるパッケージとなっている。
【００１５】
また、プロテクト機能制御の中心となるパッケージ１０内には、外部からのプロテクト信号３０が入力されるトグル回路２０、トグル回路２０の出力信号が入力され、入力された信号を出力するかＯＦＦ固定にするかの制御を行う禁止回路Ａ２１、パッケージＡ１１から返送されるプロテクト返送信号３４が入力され、入力された信号を出力するかＯＦＦ固定にするかの制御を行う禁止回路Ｂ２２、パッケージを挿入した後、一定のタイミングをとり出力を変化させ、その出力を禁止回路Ａ２１に入力し、また、禁止回路Ｂ２２に反転回路を介して入力するＰＯＷ  ＯＮ回路２３、禁止回路Ａ２１及び禁止回路Ｂ２２の出力信号が入力され、その論理和の信号を出力する論理和回路２４、及び論理和回路２４の出力信号をパッケージＡ１１及びパッケージＢ１２に分配するプロテクト信号分配回路２５が設けられている。
【００１６】
また、ここでは、禁止回路Ａ２１及び禁止回路Ｂ２２は、ＰＯＷ  ＯＮ回路２３からの信号がＯＮのとき、入力信号をそのまま出力し、ＰＯＷ  ＯＮ回路２３からの信号がＯＦＦのとき、その出力をＯＦＦ固定とするものであり、ＰＯＷ  ＯＮ回路２３は、パッケージが挿入されてからのある一定時間のタイミングを出力ＯＦＦとするものであり、禁止回路Ａ２１、禁止回路Ｂ２２及びＰＯＷ  ＯＮ回路２３の出力信号の変化は図２に示すようになっている。
【００１７】
また、パッケージＡ１１内には、プロテクト機能制御の中心となるパッケージ１０からのプロテクト信号Ａ３１が入力される保持回路２６、保持回路２６の出力信号をそのままプロテクト返送信号３４としてプロテクト機能制御の中心となるパッケージ１０に返送する返送回路２７、プロテクト機能制御の中心となるパッケージ１０からの実装状態信号３３が入力され、その入力信号に基づいて保持回路２６の制御を行う実装状態監視回路２８、及び保持回路２６の出力信号が入力され、その入力信号に基づいて、切替系の系の固定等のプロテクト中の動作を制御するプロテクト機能制御回路２９が設けられている。
【００１８】
また、パッケージＢ１２内には、プロテクト機能制御の中心となるパッケージ１０からのプロテクト信号Ｂ３２が入力される保持回路２６、プロテクト機能制御の中心となるパッケージ１０からの実装状態信号３３が入力され、その入力信号に基づいて保持回路２６の制御を行う実装状態監視回路２８、及び保持回路２６の出力信号が入力され、その入力信号に基づいて、切替系の系の固定等のプロテクト中の動作を制御するプロテクト機能制御回路２９が設けられている。
【００１９】
なお、ここでは、プロテクト信号分配回路２５の出力をパッケージＡ１１、パッケージＢ１２の２つのパッケージに送出するものを示しているが、プロテクト信号分配回路２５から分配されるプロテクト信号を送出するパッケージの数量を増やしてもよい。この場合、増やしたプロテクト信号が送出されるパッケージは、パッケージＢ１２と同様に返送回路２７の無いものとなる。
【００２０】
次に、この実施の形態の動作について説明する。
まず、外部からのプロテクト信号３０は、プロテクト機能制御の中心となるパッケージ１０のトグル回路２０に入力され、トグル回路２０の出力信号は、禁止回路Ａ２１及び論理和回路２４を経由してプロテクト信号分配回路２５へ入力し、そのプロテクト信号分配回路２５の出力であるプロテクト信号Ａ３１、プロテクト信号Ｂ３２をそれぞれパッケージＡ１１、パッケージＢ１２へ送出し、また、パッケージＡ１１からのプロテクト返送信号３４は禁止回路Ｂ２２を経由して論理和回路２４に送出されている。
【００２１】
そして、パッケージＡ１１では、プロテクト機能制御の中心となるパッケージ１０より送出されたプロテクト信号Ａ３１が入力された保持回路２６の出力信号を、プロテクト機能制御回路２９に入力すると共に、返送回路２７により、そのままプロテクト機能制御の中心となるパッケージ１０へ返送する。そして、プロテクト機能制御回路２９では、保持回路２６の出力信号に基づいて、切替系の系の固定等のプロテクト中の動作を制御する。
【００２２】
この時、プロテクト機能制御の中心となるパッケージ１０の実装状態を示すを実装状態信号３３はパッケージＡ１１内に位置する実装状態監視回路２８に送出され、実装状態監視回路２８の出力信号によって保持回路２６が制御されており、その制御動作は、プロテクト機能制御の中心となるパッケージ１０が抜去などにより、その実装状態が未実装の状態になれば、保持回路２６により現在のプロテクト信号Ａ３１の状態が保持されるものである。
【００２３】
そして、プロテクト機能制御の中心となるパッケージ１０では、論理和回路２４により、禁止回路Ａ２１の出力信号と禁止回路Ｂ２２の出力信号との論理和をとり、再びプロテクト信号分配回路２２を経由してプロテクト信号Ａ３１、プロテクト信号Ｂ３２を生成して、パッケージＡ１１及びパッケージＢ１２に出力する。
【００２４】
また、パッケージＢ１２では、プロテクト機能制御の中心となるパッケージ１０より送出されたプロテクト信号Ａ３２が入力された保持回路２６の出力信号を、プロテクト機能制御回路２９に入力する。そして、プロテクト機能制御回路２９では、保持回路２６の出力信号に基づいて、切替系の系の固定等のプロテクト中の動作を制御する。
【００２５】
この時、プロテクト機能制御の中心となるパッケージ１０の実装状態を示すを実装状態信号３３はパッケージＢ１２内に位置する実装状態監視回路２８に送出され、実装状態監視回路２８の出力信号によって保持回路２６が制御されており、その制御動作は、プロテクト機能制御の中心となるパッケージ１０が抜去などにより、その実装状態が未実装の状態になれば、保持回路２６により現在のプロテクト信号Ｂ３２の状態が保持されるものである。
【００２６】
次に、装置のプロテクト状態がＯＮの時に、プロテクト機能制御の中心となるパッケージ１０が抜去され、その後再び挿入された場合の動作について説明する。
図３はパッケージ１０の抜去／挿入時の各種信号及び状態の変化を示す図である。
【００２７】
まず、外部からのプロテクト信号３０の立ち上がりをトリガとしてトグル回路２０の出力信号がＯＦＦからＯＮに変化する。ここで、ＰＯＷ  ＯＮ回路２３の出力信号はＯＮなので、禁止回路Ａ２１がトグル回路２０からの信号をそのまま出力し、禁止回路Ｂ２２がＯＦＦ固定出力となっているので、論理和回路２４の出力はＯＦＦからＯＮに変化する。
【００２８】
そして、プロテクト信号Ａ３１及びプロテクト信号Ｂ３２は、論理和回路２４の出力信号がプロテクト分配回路２５により分配された信号であるので、ＯＦＦからＯＮに変化し、装置はプロテクト状態となる。さらに、パッケージＡ１１の返送回路２７からのプロテクト返送信号３４もＯＦＦからＯＮに変化する。
【００２９】
ここで、プロテクト機能制御の中心となるパッケージ１０が抜去されると、トグル回路２０、論理和回路２４及びＰＯＷ  ＯＮ回路２３の出力信号は不定となり、プロテクト信号Ａ３１及びプロテクト信号Ｂ３２は、プロテクト機能制御の中心となるパッケージ１０が抜去されたときには、あらかじめＯＦＦ固定となるように設定されているので、ＯＦＦに変化する。
【００３０】
しかし、このとき、パッケージＡ１１及びパッケージＢ１２の実装状態監視回路２８により、プロテクト機能制御の中心となるパッケージ１０の抜去により未実装状態が検出されるので、その検出結果により保持回路２６が制御されて、保持回路２６の出力は、プロテクト機能制御の中心となるパッケージ１０が抜去される前の状態を保持されるので、装置はプロテクトＯＮ状態を維持し、また、返送信号もＯＮの状態を維持している。
【００３１】
そして、再度プロテクト機能制御の中心となるパッケージ１０が挿入されると、ＰＯＷ  ＯＮ回路２３の出力信号がＯＦＦとなり、禁止回路Ａ２１がＯＦＦ固定出力となり、禁止回路Ｂ２２がプロテクト返送信号をそのまま出力するので、論理和回路２４の出力はＯＮとなっている。
【００３２】
そして、プロテクト信号Ａ３１及びプロテクト信号Ｂ３２は、論理和回路２４の出力信号がプロテクト分配回路２５により分配された信号であるので、ＯＦＦからＯＮに変化する。また、このとき、パッケージＡ１１及びパッケージＢ１２の実装状態監視回路２８により、プロテクト機能制御の中心となるパッケージ１０の挿入により実装状態が検出されるので、その検出結果により保持回路２６が制御されて、保持回路２６の出力信号は、プロテクト信号Ａ３１及びプロテクト信号Ｂ３２となり、プロテクト信号Ａ３１及びプロテクト信号Ｂ３２がＯＮであるので、装置はプロテクトＯＮ状態を維持し、また、返送信号もＯＮの状態を維持している。
【００３３】
そして、ＰＯＷ  ＯＮ回路２３の出力信号が、一定のタイミングをとった後、ＯＮに変化すると、禁止回路Ａ２１がトグル回路２０からの信号をそのまま出力し、禁止回路Ｂ２２がＯＦＦ固定出力となっているので、論理和回路２４の出力は、トグル回路２０の出力信号と同じ信号に変化する。
【００３４】
ここでは、トグル回路２０の出力は、挿入時には、ＯＦＦになっているものとし、ＰＯＷ  ＯＮ回路２３の出力信号が、一定のタイミングをとって、ＯＮに変化する前に、外部からのプロテクト信号３０の立ち上がりをトリガとしてトグル回路２０の出力信号をＯＦＦからＯＮに変化させて、ＰＯＷ  ＯＮ回路２３の出力信号が、一定のタイミングをとった後も、プロテクト信号Ａ３１及びプロテクト信号Ｂ３２をＯＮのままとし、装置をプロテクトＯＮ状態に維持している。
【００３５】
この実施の形態では、プロテクト機能制御の中心となるパッケージ１０を抜去するとき、保持回路２６及び実装状態監視回路２８により、抜去前のプロテクト状態を維持し、プロテクト機能制御の中心となるパッケージ１０を挿入するときには、プロテクト返送信号に基づいて、プロテクト信号を生成するようにしたので、プロテクト機能制御の中心となるパッケージ１０の抜去挿入時においても、プロテクト状態を維持、再現することが可能となる。
【００３６】
このことは、装置のプロテクト状態がプロテクトＯＦＦ状態の時に、プロテクト制御の中心となるパッケージ１０が抜去された場合でも装置のプロテクト状態をプロテクトＯＦＦ状態に維持できるることであり、また、装置のプロテクト状態がプロテクトＯＮ状態の時に、プロテクト機能制御の中心となるパッケージ１０が挿入された場合でも装置のプロテクト状態をプロテクトＯＮ状態に維持できることである。
【００３７】
【発明の効果】
以上のように、本発明によれば、プロテクト機能制御の中心となるパッケージが抜去されると、抜去する前のプロテクト信号を複数のパッケージに保持させ、プロテクト機能制御の中心となるパッケージが再度挿入されると、複数のパッケージに保持されたプロテクト信号に基づいたプロテクト信号を、プロテクト機能制御の中心となるパッケージから複数のパッケージに分配させるようにしたので、プロテクト機能制御の中心となるパッケージの抜去挿入時においても、プロテクト状態を維持、再現することができるという効果を有する。
【図面の簡単な説明】
【図１】本発明の一実施の形態に係るプロテクト機能制御方法を説明するための説明図である。
【図２】禁止回路Ａ２１、禁止回路Ｂ２２及びＰＯＷ  ＯＮ回路２３の出力信号の変化を示す図である。
【図３】実施の形態のパッケージ１０の抜去／挿入時の各種信号及び状態の変化を示す図である。
【図４】従来のプロテクト機能制御方法を説明するための説明図である。
【図５】従来のパッケージ４０の抜去／挿入時の各種信号及び状態の変化を示す図である。
【符号の説明】
１０  プロテクト機能制御の中心となるパッケージ
１１  パッケージＡ
１２  パッケージＢ
２０  トグル回路
２１  禁止回路Ａ
２２  禁止回路Ｂ
２３  ＰＯＷ  ＯＮ回路
２４  論理和回路
２５  プロテクト信号分配回路
２６  保持回路
２７  返送回路
２８  実装状態監視回路
２９  プロテクト機能制御回路
【図１】
0003584386.tif 000002
【図２】
0003584386.tif 000003
【図３】
0003584386.tif 000004
【図４】
0003584386.tif 000005
【図５】
0003584386.tif 000006